(57)【特許請求の範囲】
【請求項１】
Ｘ線放射源（２）と、Ｘ線放射源の前に置かれていると共に患者に照射するＸ線放射ビームをフィルタするための可動フィルタと、この可動フィルタを移動させるフィルタ移動手段と、Ｘ線放射ビームに関して静止的に放射線写真を取られるべき対象（７）を保持すべく、患者を支持するための手段（５）と、Ｘ線放射ビームのフィルタされた部分の大きさを所与の時間で指示すべく、患者との関係において配置されていると共に発光器を有している発光手段（８）と、フィルタ移動手段に結合されていると共に当該フィルタ移動手段の位置に従う電気信号を発生する回路手段（９−11）とを有しており、回路手段には、発光器又は複数の発光器がフィルタされたＸ線放射ビームの境界を指示すべくフィルタ移動手段の位置に従って点灯されるように、撮像されるべき対象に近接した位置で、実質的にＸ線放射ビームを横断する方向において一列に配置された発光器（８）への電気信号を伝達する信号伝達手段が更に設けられていることを特徴とするラジオグラフィー装置。
【請求項２】
回路手段がスライドポテンショメーター（９）からなり、その可動部（10）がフィルタの移動部に機械的に結合されていることを特徴とする請求の範囲１に記載のラジオグラフィー装置。
【請求項３】
回路手段が、フィルタ移動手段に結合されていると共にフィルタ移動手段の位置に従う電気信号を発生する光学的変換器からなることを特徴とする請求の範囲１に記載のラジオグラフィー装置。
【請求項４】
回路手段が、フィルタ移動手段に結合されていると共にフィルタ移動手段の位置に従う電気信号を発生するホール変換器からなることを特徴とする請求の範囲１に記載のラジオグラフィー装置。
【請求項５】
発光器（８）が発光ダイオードであることを特徴とする請求の範囲１に記載のラジオグラフィー装置。
【請求項６】
発光ダイオード（８）は、一直線上に置かれた発光ダイオード片であることを特徴とする請求の範囲５に記載のラジオグラフィー装置。
【請求項７】
回路手段が、光源、すなわち発光手段（８）を制御すべく、フィルタ位置に対応するアナログ信号をデジタル信号に変換するためのA/D変換器を含むことを特徴とする請求の範囲１に記載のラジオグラフィー装置。
【請求項８】
回路手段が、光源、すなわち発光手段（８）を制御するべく、測定変換器から得られた位置信号を制御信号に変換するための、電圧／周波数変換器及びパルスカウンタを含むことを特徴とする請求の範囲１に記載のラジオグラフィー装置。
【発明の詳細な説明】
本発明は、患者に照射する放射線ビームの強度を定めるべく、ラジオグラフィー装置におけるフィルタ配置に関し、ラジオグラフィー装置は、Ｘ線放射源と、Ｘ線放射源の前に置かれた可動フィルタと、Ｘ線放射ビームに関して静止的に放射線写真を取られるべき対象を保持すべく、患者を支持するための手段とを有しており、所与の時間でフィルタされた放射ビームの大きさを指示すべく、患者と一直線上に配列されて発光手段があり、そして、前記発光手段とフィルタ移動手段との間には、これらの間に位置的従属性を満たすべく、信号伝達がある。
ラジオグラフィーにおいては、不必要な放射に患者が晒されないようにするために、またその外に、最大の便宜性をもって露光された像を得るためにも、放射線写真を取られるべき対象に関して線ビームの形と強度とを適切に定めることが一般的に重要である。例えば、頭部計測において、患者の頭又は頭骨の部片は、横から見たように記録され、この場合において、患者の顔面上に照射する線ビームの当該側をより多くフィルタすることが度々好都合となり、その結果、患者の顔面の輪郭が、作成されたＸ線像において可視となるであろう。すなわち、Ｘ線放射源と放射線写真を取られるべき対象との間に置かれた楔形状のフィルタを介して行われる知られた方法においては、フィルタは、一般的に、楔のより薄肉の端がＸ線放射線ビームの主軸により接近するように、Ｘ線放射線ビームの主軸に直交する面において可動であるように、配置される。
Ｘ線放射線ビームの楔形状のフィルタの位置決めにおいて、フィルタの所与の場所での患者のいずれの位置に対してフィルタ効果が増大するかを知ることがもちろん重要である。前記の頭部計測においては、例えば、患者の頭部を支持するための手段を用いて、ある重要なディメンションを測定すること及びモータを用いて自動的に又は手動的のいずれかで、それらに基づいてフィルタを位置決めすることは先に知られている。このタイプのシステムは、例えば、フィンランド特許68515に開示されている。
これと似ているが若干異なる知られた方法は、可動な発光器が患者の頭部を支持するための手段の近傍に配置され、当該発光器が楔フィルタによってフィルタされたＸ線放射ビームの境界を指示する光のビームを発するものである。この技術的な実施は、発光器を移動するための手段からフィルタモータに電気信号を発し、そして、フィルタモータが修正位置にフィルタを駆動するように、してされる。
調節において、Ｘ線放射ビームのフィルタリングは、しかしながら、上記の場合のように、頭部支持手段を使用することによって、決まった場所に位置決めされた患者のすぐ近傍でなく、患者から距離をもって作動することが望ましいだろう。その上、モータを使用することによるフィルタの移転は、もちろん、その構造をより複雑にし、その価格を増大させる。それ故に、本発明の目的は、それにもかかわらず、その実施において比較的簡単である信頼性のある機能的配置を提供することである。
この目的を達成すべく、本発明におけるラジオグラフィー装置は、Ｘ線放射源（２）と、Ｘ線放射源の前に置かれていると共に患者に照射するＸ線放射ビームをフィルタするための可動フィルタと、この可動フィルタを移動させるフィルタ移動手段と、Ｘ線放射ビームに関して静止的に放射線写真を取られるべき対象（７）を保持すべく、患者を支持するための手段（５）と、Ｘ線放射ビームのフィルタされた部分の大きさを所与の時間で指示すべく、患者との関係において配置されていると共に発光器を有している発光手段（８）と、フィルタ移動手段に結合されていると共に、当該フィルタ移動手段の位置に従う電気信号を発生する回路手段（９−11）とを有しており、回路手段には、発光器又は複数の発光器がフィルタされたＸ線放射ビームの境界を指示すべくフィルタ移動手段の位置に従って点灯されるように、撮像されるべき対象に近接した位置で、実質的にＸ線放射ビームを横断する方向において一列に配置された発光器（８）への電気信号を伝達する信号伝達手段が更に設けられていることを特徴とする。
知られた方法と比較して、本発明の原理は、このような対置、すなわち、発光器がフィルタ楔によって生み出されたフィルタされたＸ線放射ビームの境界を操作者に指示するように働くということにある。換言すれば、操作者がフィルタを移動する際に、フィルタ位置に比例する信号が、例えば患者上に配置された発光ダイオード列に供給され、これにより、幾つかの点灯した発光ダイオード又はある位置での発光ダイオードがフィルタされたＸ線放射ビームの境界を指示するであろう。この対置動作原理の利点は、このようにして高価なモータなしに機能することができることにある。
本発明及びその他の特徴は、添付図面を参照して一つの例の形態でより詳細に以下に記述され、ここにおいて、
図１は、Ｘ線放射源と患者を支持するための手段とを有する配置を図式的に記述しており、
図２は、患者の頭部をもまた示されるように前記の配置の頂面図を記述しており、
図３は、患者の頭部と頭部支持手段とを記述しており、
図４は、パノラマ式装置と頭蓋計測器との結合を図式的に記述しており、
図５は、図４のシステムの頂面図を記述しており、そして、
図６は、本発明に従う信号路の一つの実施を記述している。
図１−６において、参照数字２はＸ線放射源を、５は患者の頭部を支持するための手段を、７は放射線写真を取られるべき対象を、８は、下記される発光ダイオード列を、12は可動楔フィルタを、そして、13はＸ線放射ビームを定めるシャッタを示す。
図４及び５は、頭蓋計測器による撮像を予定する装置がどの様に従来のパノラマ式のラジオグラフィー装置に結合されるかの例を記述している。より的確には、参照数字１は、パノラマ式のラジオグラフィー装置の支持アームと呼ばれるものを示し、このアームは、一端にＸ線放射源２を、対向端に必要な転送機構３をもったＸ線フィルムカセットを有している。この前後の説明で、当業者によく知られたパノラマ式のラジオグラフィー装置を記述することはほとんど必要でない。図示された具体例において、突出部４は、パノラマ式の装置に付加されており、突出部４の一端に、頭部支持手段５が、そして、それの後に頭蓋計測器のカセットホルダ６がある。パノラマ式の装置のＸ線放射源２が頭蓋計測器による撮像のために使用される際には、可動フィルムカセット機構３は、Ｘ線放射ビーム路から外れてわきに転送される。
本発明によれば、電気信号を発生する変換器は、フィルタの可動部、例えば、図６に示すように、スライドポテンショメータの可動タップに結合される。スライドポテンショメータのタップの位置に相当する信号は、A/D変換器11に供給され、ここから制御信号は、更に、患者上に一列に配された発光ダイオード８に供給される。制御は、正確にポテンショメータの位置に相当する発光ダイオードが点灯されるようになるか又は例えば図３に示すように、位置の一方側の発光ダイオードの全てが点灯されるようになるかいずれかである。この場合、同時に点灯されるようになった発光ダイオードは、フィルタされた領域（部分）の大きさを表示する。
フィルタ移動手段に相当する電気信号を発生する他の方法もまたあることが明らかであり、そして、この信号は、発光器の列８を制御するために用いられる。ポテンショメータは、もちろん、図に示されるように、スライドポテンショメータであってもよく、同じく、例えばフィルタ移動手段として働く制御ねじに直接的に結合された多重回転の回転式ポテンショメータであってもよい。その上、電気制御信号は、当業者に明らかな方法によってフィルタ移動手段に結合された光学的変換器又はホール変換器によって発生されてもよい。回路手段は、例えば、アナログ電圧信号を適切なデジタル制御信号に変換する電圧／周波数変換器とパルスカウンタとを含んでいてもよい。
【図４】
0003598519.tif 000002
【図１】
0003598519.tif 000003
【図２】
0003598519.tif 000004
【図３】
0003598519.tif 000005
【図５】
0003598519.tif 000006
【図６】
0003598519.tif 000007